(57)【特許請求の範囲】
【請求項１】
長手の一端に被測定物である乗場の床面の側面から突出して配置される突出部が形成され、上記乗場の床面の上面に設置される台部材と、この台部材にケースが装着されて上記台部材の突出部の突出端から計測テープ体が下垂される巻き尺と、この巻き尺の計測テープ体の先端に連結された下げ振り形状の錘体と、上記台部材及び巻き尺のケースのいずれかに設けられて要時に人為操作によって上記巻き尺の計測テープ体を押圧して計測テープ体の上下移動を制動する制動手段と、上記台部材の突出部に一端が枢着されて上記乗場の床面の側面に対面して配置される折り畳み可能な位置決め片とを備え、上記台部材は、突出部側を形成した主部材、この主部材の反突出部側に配置された副部材及び上面に枢持軸が配置されて上記主部材に上記副部材を枢着した蝶番によって折り畳み可能に構成されて、測定作業時に展開伸長されるものであり、上記位置決め片は、測定作業時に折り畳み状態から展開されて阻止機構によって突起位置に保持されるものであることを特徴とするエレベーター昇降路用測定器具。
【発明の詳細な説明】
【０００１】
【発明の属する技術分野】
この発明は、主として据付作業の当初における昇降路の測定作業に使用されるエレベーター昇降路用測定器具に関する。
【０００２】
【従来の技術】
図６〜図８は、従来のエレベーター昇降路用測定器具による昇降路の測定作業を説明する図で、図６はエレベーターの昇降路を概念的に示す横断平面図、図７は図６の正面図、図８は図７の縦断側面図である。図において、１はエレベーターの昇降路、２は昇降路１に設けられて上下方向に互いに離れて配置された乗場からなる被測定物、３は乗場の床面からなる被測定物２の上面、４は被測定物２の昇降路１内側の側面である。
【０００３】
５は乗場、すなわち被測定物２の上側に設けられた出入口開口部、６は上階の被測定物２の上の上方作業員、７は下階の被測定物２の上の下方作業員、８は出入口開口部５近くに設けられた機器孔、９は鋼製の巻き尺、Ｈは上下方向に離れた被測定物２の相互間隔、すなわち階間距離、Ｉは出入口開口部５高さ、Ｊは出入口開口部５幅、Ｋは機器孔８幅、Ｌは機器孔８高さ、Ｍは機器孔８中心高さ、Ｎは昇降路１間口、Ｐは昇降路１奥行きである。
【０００４】
上記のようなエレベーターの昇降路１において、エレベーター機器の据付作業の当初に従来つぎに述べるようにして昇降路１の測定作業が行われていた。すなわち、上方作業員６が巻き尺９の計測テープ体を下垂して下方作業員７が巻き尺９の計測テープ体によって階間距離Ｈを測定する。また、図示が省略してあるが上階の被測定物２から下垂された下げ振りを基準として昇降路１間口Ｎ等の昇降路１の各部寸法が測定される。
【０００５】
【発明が解決しようとする課題】
上記のような従来の昇降路１の測定作業では、巻き尺９による階間距離Ｈの測定の他、昇降路１間口Ｎ等の昇降路１の各部寸法の測定のために下げ振りの仮設を要するため煩雑な手数が掛かるという問題点があった。
【０００６】
この発明は、かかる問題点を解消するためになされたものであり、昇降路各部が簡易な作業によって測定できるエレベーター昇降路用測定器具を得ることを目的とする。
【０００７】
【課題を解決するための手段】
この発明に係るエレベーター昇降路用測定器具においては、長手の一端に被測定物である乗場の床面の側面から突出して配置される突出部が形成され、上記乗場の床面の上面に設置される台部材と、この台部材にケースが装着されて上記台部材の突出部の突出端から計測テープ体が下垂される巻き尺と、この巻き尺の計測テープ体の先端に連結された下げ振り形状の錘体と、上記台部材及び巻き尺のケースのいずれかに設けられて要時に人為操作によって上記巻き尺の計測テープ体を押圧して計測テープ体の上下移動を制動する制動手段と、上記台部材の突出部に一端が枢着されて上記乗場の床面の側面に対面して配置される折り畳み可能な位置決め片とを備え、上記台部材は、突出部側を形成した主部材、この主部材の反突出部側に配置された副部材及び上面に枢持軸が配置されて上記主部材に上記副部材を枢着した蝶番によって折り畳み可能に構成されて、測定作業時に展開伸長されるものであり、上記位置決め片は、測定作業時に折り畳み状態から展開されて阻止機構によって突起位置に保持されるものである。
【０００８】
【発明の実施の形態】
実施の形態１．
図１〜図５は、この発明の実施の形態の一例を示す図で、図１はエレベーター昇降路用測定器具の測定作業状態を示す斜視図、図２は図１の測定器具が折り畳まれた状態を示す斜視図、図３は図１の測定器具による測定作業状態を示す昇降路の横断平面図、図４は図３の昇降路の正面図、図５は図４の昇降路の縦断側面図である。
【０００９】
図において、１はエレベーターの昇降路、２は昇降路１に設けられて上下方向に互いに離れて配置された乗場からなる被測定物、３は乗場の床面からなる被測定物２の上面、４は被測定物２の昇降路１内側の側面、５は乗場、すなわち被測定物２の上側に設けられた出入口開口部、８は出入口開口部５近くに設けられた機器孔である。
【００１０】
１０は台部材で、棒状をなし長手の一端に被測定物２の側面４から突出して配置される突出部１１が形成されて適宜な重量を有する重りの機能を備え、被測定物２の上面３に要時に設置される。そして、突出部１１側を形成した主部材１２、主部材１２の反突出部１１側に配置された副部材１３及び上面に枢持軸が配置されて主部材１２に副部材１３を枢着した蝶番１４によって折り畳み可能に構成されている。
【００１１】
１５は巻き尺で、台部材１０の突出部１１寄りにケース１６が締結ねじ１７によって締結されて装着され、鋼製の計測テープ体１８が台部材１０の突出部１１の突出端面から下垂される。１９は巻き尺１５の計測テープ体１８の先端に連結された下げ振り形状の錘体である。
【００１２】
２０は制動手段で、台部材１０の突出部１１及び巻き尺１５のケース１６のいずれかに設けられて要時に人為操作によって巻き尺１５の計測テープ体１８を押圧して計測テープ体１８の上下移動を制動する。２１は位置決め片で、上端が台部材１０の突出部１１に枢着されて被測定物２の側面４に対面して配置され、また図１における時計方向の回動を阻止する阻止機構が設けられている。
【００１３】
２２は台部材１０に設けられた締結ねじ１７用の挿通孔で、巻き尺１５の台部材１０の長手に対する位置を移動させる場合に締結ねじ１７が挿通される。２３は測定器具であり、台部材１０、巻き尺１５、錘体１９、制動手段２０及び位置決め片２１を主要部材として構成される。２４は出入口開口部５の間口方向縁部におけるはつり削除箇所、２５は被測定物２の側面４におけるはつり削除箇所である。
【００１４】
Ａは下垂された巻き尺１５の計測テープ体１８と出入口開口部５の一側の間口方向縁部との距離、Ｂは下垂された巻き尺１５の計測テープ体１８と被測定物２の側面４との距離、Ｃは出入口開口部５の距離Ａ側の間口方向縁部とこの縁部に対応した昇降路１の間口方向壁面との距離、Ｄは出入口開口部５の間口幅、Ｅは出入口開口部５の反距離Ａ側の間口方向縁部とこの縁部に対応した昇降路１の間口方向壁面との距離、Ｆは出入口開口部５の他側の間口方向縁部と機器孔８の縁部との距離、Ｇは機器孔８の幅である。
【００１５】
上記のように構成されたエレベーター昇降路用測定器具において、エレベーター機器の据付作業の当初に次に述べるようにして昇降路１の測定作業が行われる。すなわち、一人の作業員によって作業が行われて、測定器具２３の台部材１０の主部材１２及び副部材１３が伸長され、また位置決め片２１が突起位置に配置される。
【００１６】
この状態で、最上階の乗場、すなわち被測定物２の上面３に測定器具２３の台部材１０が設置され、また位置決め片２１が被測定物２の昇降路１内側の側面４に接して配置されて図１に示す状態となる。そして、制動手段２０が人為操作されて巻き尺１５の計測テープ体１８の制動が解除され、計測テープ体１８が下方に延長され先端の錘体１９が最下階の乗場、すなわち最下階の被測定物２の上面３よりも下方に到達すると制動手段２０により巻き尺１５の計測テープ体１８が制動される。
【００１７】
これによって、図４及び図５に示す状態となり巻き尺１５の計測テープ体１８の下垂位置を基準として、距離Ａ、距離Ｂ、距離Ｃ、開口幅Ｄ、距離Ｅ、距離Ｆ、幅Ｇの測定を容易に行うことができる。なお、それぞれの乗場、すなわち被測定物２において距離Ａ、距離Ｂの値が許容値よりも小さい場合には、例えば出入口開口部５の間口方向縁部におけるはつり削除箇所２４、被測定物２の側面４におけるはつり削除箇所２５のはつり作業が行われる。
【００１８】
したがって、距離Ａの測定、すなわち出入口開口部５の昇降路１における間口方向位置の測定等の昇降路１の各部寸法の測定のために下げ振りを仮設する必要がなく、下げ振りの仮設に要する機材、工具を搬送する手数を解消することができる。このため、少ない作業員数による簡易な作業によって容易に昇降路１各部を測定でき、エレベーターの据付費を低減することができる。
【００１９】
また、測定器具２３の台部材１０が主部材１２及び主部材１２に枢着された副部材１３によって折り畳み可能に構成され、また位置決め片２１の一端が台部材１０に枢着されて折り畳み可能に構成される。これによって、不使用時に台部材１０等を図２に示すように折り畳んで測定器具２３の嵩を減らすことができるので、測定器具２３を携行する場合に便利である。また、昇降路１における作業勝手に対応して測定作業を容易化するために、締結ねじ１７用の挿通孔２２を利用して台部材１０に対する巻き尺１５の位置を台部材１０の長手に沿って変位することも可能である。
【００２０】
【発明の効果】
この発明は以上説明したように、長手の一端に被測定物である乗場の床面の側面から突出して配置される突出部が形成され、上記乗場の床面の上面に設置される台部材と、この台部材にケースが装着されて上記台部材の突出部の突出端から計測テープ体が下垂される巻き尺と、この巻き尺の計測テープ体の先端に連結された下げ振り形状の錘体と、上記台部材及び巻き尺のケースのいずれかに設けられて要時に人為操作によって上記巻き尺の計測テープ体を押圧して計測テープ体の上下移動を制動する制動手段と、上記台部材の突出部に一端が枢着されて上記乗場の床面の側面に対面して配置される折り畳み可能な位置決め片とを備え、上記台部材は、突出部側を形成した主部材、この主部材の反突出部側に配置された副部材及び上面に枢持軸が配置されて上記主部材に上記副部材を枢着した蝶番によって折り畳み可能に構成されて、測定作業時に展開伸長されるものであり、上記位置決め片は、測定作業時に折り畳み状態から展開されて阻止機構によって突起位置に保持されるものである。
【００２１】
これによって、エレベーター機器の据付作業の当初に作業員によって測定器具の主部材及び副部材からなる台部材が伸長されて最上階の乗場、すなわち被測定物の上面に設置され、また位置決め片が被測定物の昇降路内側の側面に接して配置される。そして、制動手段による巻き尺の計測テープ体の制動が解除されて下方に延長され、先端の錘体が最下階の乗場、すなわち被測定物の下方に吊設される。そして、計測テープ体の下垂位置を基準として、昇降路における水平方向の各部寸法が測定される。したがって、昇降路の各部寸法測定のために下げ振りを仮設する必要がなく、下げ振りの仮設に要する機材、工具を搬送する手数を解消することができる。このため、少ない作業員数による簡易な作業によって容易に昇降路各部を測定でき、エレベーターの据付費を低減する効果がある。また、測定器具の台部材が主部材及び主部材に枢着された副部材によって折り畳み可能に構成される。このため、台部材を折り畳んで不使用時の測定器具の嵩を減らすことができて測定器具の携行を容易化する効果がある。また、測定器具の位置決め片が折り畳み可能に構成される。このため、位置決め片を折り畳んで不使用時の測定器具の嵩を減らすことができて、測定器具の携行を容易化する効果がある。
【図面の簡単な説明】
【図１】  この発明の実施の形態１を示す図で、エレベーター昇降路用測定器具の測定作業状態を示す斜視図。
【図２】  図１の測定器具が折り畳まれた状態を示す斜視図。
【図３】  図１の測定器具による作業状態を示す昇降路の横断平面図。
【図４】  図３の昇降路の正面図。
【図５】  図４の昇降路の縦断側面図。
【図６】  従来のエレベーター昇降路用測定器具による昇降路の測定作業を説明する図で、エレベーターの昇降路を概念的に示す横断平面図。
【図７】  図６の正面図。
【図８】  図７の縦断側面図。
【符号の説明】
２  被測定物（乗場）、  ３  上面、  ４  側面、  １０  台部材、  １１  突出部、  １２  主部材、  １３  副部材、  １４  蝶番、  １５  巻き尺、  １６  ケース、  １８  計測テープ体、  １９  錘体、  ２０  制動手段、  ２１  位置決め片。
【図１】
0003728422.tif 000002
【図２】
0003728422.tif 000003
【図３】
0003728422.tif 000004
【図４】
0003728422.tif 000005
【図５】
0003728422.tif 000006
【図６】
0003728422.tif 000007
【図７】
0003728422.tif 000008
【図８】
0003728422.tif 000009